(57)【要約】【課題】乗客座席幅をいっぱいに使った表示装置を設置出来、小型化、省スペース化、安定化した非接触カード読取手段、および非接触カード読取機能付き座席を得ることを目的とする。【解決手段】情報を表示する表示面を有する表示器と、前記表示器を制御する制御基板と、前記表示器の表示面と反対側面側に配置された非接触カード読取部とを有する非接触カード読取表示機器であって、前記表示器の表示面に非接触カード読取に関する情報を表示する。【選択図】図２
2005084704.tif 000002
【特許請求の範囲】
【請求項１】
情報を表示する表示面を有する表示器と、
前記表示器の表示面と反対側面側に配置された非接触カード読取部とを有する非接触カード読取手段であって、
前記表示器の表示面に非接触カード読取に関する情報を表示することを特徴とする非接触カード読取手段。
【請求項２】
前記非接触カード読取部で用いるアンテナを、前記表示器が有する反射板に印刷または蒸着して構成することを特徴とする請求項１記載の非接触カード読取手段。
【請求項３】
前記非接触カード読取部で用いるアンテナを、前記表示器が有する導光板に印刷または蒸着して構成することを特徴とする請求項１記載の非接触カード読取手段。
【請求項４】
前記非接触カード読取部で用いるアンテナを、前記表示器が有する拡散板に印刷または蒸着して構成することを特徴とする請求項１記載の非接触カード読取手段。
【請求項５】
前記非接触カード読取部で用いるアンテナを、前記表示器が有するタッチパネルに透明印刷または透明蒸着して構成することを特徴とする請求項１記載の非接触カード読取手段。
【請求項６】
前記非接触カード読取部で用いるアンテナを、前記表示器が有する前面配光板に透明印刷または透明蒸着して構成することを特徴とする請求項１記載の非接触カード読取手段。
【請求項７】
前記非接触カード読取部で用いるアンテナを、前記表示器が有する偏光板に透明印刷または透明蒸着して構成することを特徴とする請求項１記載の非接触カード読取手段。
【請求項８】
前記非接触カード読取手段の筐体の側面にシールドを配置したことを特徴とする請求項１記載の非接触カード読取手段。
【請求項９】
請求項１記載の非接触カード読取手段を座席背面に配置したことを特徴とする非接触カード読取機能付き座席。
【請求項１０】
前記座席側面にシールドを配置したことを特徴とする請求項９記載の非接触カード読取機能付き座席。
【発明の詳細な説明】
【技術分野】
【０００１】
本発明は、音声、画像、データを乗客に提供し、その対価を非接触カードで課金または認証する航空機、鉄道、船舶、球場、劇場等で用いる非接触カード読取手段、および非接触カード読取機能付き座席に関する。
【背景技術】
【０００２】
最近、非接触カードを用いた商品や技術が提案されている（例えば、特許文献１参照）。この特許文献１に開示されている技術は、携帯電話機とパーソナルコンピュータの通信に関する技術である。
【０００３】
また、別の技術として駅の改札等で用いる非接触カード読取手段がある。図６は従来の駅の改札で用いる非接触カード読取手段の構成を示しており、情報サービス機器は中央処理装置（図示せず）、非接触カード１、読取センサー２、読取端末３、乗客障害バー４で構成されている。
【０００４】
非接触カード１を乗客（図示せず）が、読取センサー２の空中上部にかざすことで、読取端末３内部では非接触カード１内の情報、課金情報が設定情報に合致するか判断し、ＯＫなら乗客障害バー４を回転させ（図示せず）、乗客を通過させる。
【０００５】
図７に従来の非接触カード読取手段の航空機搭載事例の構成を示しており、情報サービス機器は中央処理装置（図示せず）、非接触カード読取センサー１１、表示端末１０、乗客座席１２で構成されている。
【０００６】
非接触カード（図示せず）を乗客（図示せず）が、非接触カード読取センサー１１の空中上部にかざすことで、非接触カード読取センサー１１内部では非接触カード内の情報、課金情報が設定情報に合致するか判断し、合致するなら表示端末１０に座席端末、中央処理装置（図示せず）からの課金または承認情報を、乗客に対し表示し、乗客の求める音楽、映画、インターネット、機内販売等のサービスを提供する。しかしながら、実際に、乗客座席１２に配置するために、図７に見られるように、別々に読取センサー１１と表示端末１０を設置しなければならず、表示端末１０を座席幅まで大きく出来ない、乗客が操作するのに、表示端末だけ見て操作できない、隣接して配置するので、隣の読取センサーとの干渉があるという問題が発生していた。
【特許文献１】特開２００３−３２１７５号公報
【発明の開示】
【発明が解決しようとする課題】
【０００７】
この非接触カード読取手段においては、読取手段の小型化での省スペース、読取動作の確認、補助のための情報提供、読取手段の機能統合での省スペースが要求されている。
【０００８】
しかしながら、従来の非接触カード読取手段では読取センサーを並置して配置するため小型化、省スペース化できない事が、発生していた。
【０００９】
本発明は、非接触カード読取センサーの大きさに影響されない、航空機、鉄道、船内への非接触カード読取が小型化、省スペース化して行える非接触カード読取手段、および非接触カード読取機能付き座席を得ることを目的とする。
【課題を解決するための手段】
【００１０】
この課題を解決するために本発明は、操作者が情報を入手または入力する表示器と、表示部を制御する制御基板と、概略、操作者から見て表示器の後部に非接触カードの読取部と、前記非接触カードの読取情報を処理する装置とで構成される非接触カード読取表示機器において、前記表示部に操作者のための非接触カード読取の補助手段となる情報を表示または、読取後の確認手段となる情報を表示することにより、前記非接触カードの読取処理を概略、表示器の投影面積内で完結させられるように構成したものである。
【００１１】
また、表示器の構成要素、反射板、導光板、拡散板、タッチパネル、前面配光板、偏光板、等にアンテナを形成する事により、ほぼ表示機の投影面積内で非接触カードの読取を行う事が可能となり、表示機に非接触カードの読取位置の表示確認を行い、読取確認、承認の表示が可能となる。
【００１２】
また、非接触カード読取手段の筐体の側面にシールドを配置したり、座席に非接触カード読取手段を配置して座席側面にシールドを配置することにより、隣り合う座席間で混信することを防ぐことが可能となる。
【発明の効果】
【００１３】
以上の構成により、本発明では、乗客座席幅をいっぱいに使った表示装置を設置出来、小型化、省スペース化、安定化した非接触カード読取手段、および非接触カード読取機能付き座席が得られる。
【発明を実施するための最良の形態】
【００１４】
以下、本発明を実施するための最良の形態について詳細に説明する。
【００１５】
（実施の形態１）
図１に本発明の非接触カード読取手段の構成を示しており、乗客用座席１０１、非接触カード読取機能付き表示器１０２、手元端末１０３、座席端末１０４、これらを接続するハーネス、座席端末の中央処理装置（図示せず）で構成されている。
【００１６】
中央処理装置（図示せず）から音楽、映像等の乗客サービス情報が、分配器（図示せず）、２台から４台座席に１台設置されている座席端末１０４、それをコントロールする手元端末１０３を介して、非接触カード読取機能付き表示器１０２に供給される。該当座席の乗客は、手元端末１０３、または非接触カード読取機能付き表示器１０２上のタッチパネルを操作して、欲しい音楽、映像、サービスを選択し、音声は手元端末１０３にヘッドホン（図示せず）を接続し、映像は非接触カード読取機能付き表示器１０２に表示し、空、鉄道、船の旅を楽しむ。ここで、供給情報が課金、認証を伴う電話、インターネット、機内販売を利用するときは、乗客は、非接触カード（図示せず）を非接触カード読取機能付き表示器１０２の指定される個所の前面に戴置、保持することにより、非接触カードの認証、課金了承を行う。
【００１７】
図２に本発明の非接触カード読取手段の内部構成を示しており、タッチパネルを含むＬＣＤユニット１０５、前面キャビ１０６、後面キャビ１０７、非接触センサー１０８、ＬＣＤ回路基板１０９で構成される。乗客が非接触ＩＣカードを、タッチパネルを含むＬＣＤ１０５に指示される方向、位置の上空に戴置することにより、非接触センサー１０８で、非接触カードの情報を読取り、認証、課金を実行する。
【００１８】
これにより、乗客座席幅をほぼ使える非接触カード読取手段を一体化した表示装置を設置出来、小型化、省スペース化ということが行える。
【００１９】
（実施の形態２）
図３に本発明の非接触カード読取手段の構成を示しており、ＬＣＤ前面タッチパネルに透明印刷形成された非接触カード読取アンテナ１１０、非接触カード読取回路部１１１、前面キャビ１１２、後面キャビ１１３、ＬＣＤ回路基板１１４、これら回路を接続するケーブル（図示せず）、座席端末（図示せず）とで構成される。
【００２０】
乗客が非接触ＩＣカードを、タッチパネルを含むＬＣＤに指示される方向、位置の上空に戴置することにより、非接触カード読取回路部１１１で、非接触カードの情報を読取り、認証、課金を実行する。
【００２１】
これにより薄型化した非接触カード読取手段を設置出来、小型化、省スペース化ということが行える。
【００２２】
なお、非接触カード読取アンテナは、タッチパネル以外に前面配光板や偏光板に透明印刷されてもよく、また、透明印刷以外に透明蒸着、印刷、蒸着、等で構成されても良い。
【００２３】
（実施の形態３）
図４に本発明の非接触カード読取手段の構成を示しており、ＬＣＤ後面の導光板に印刷形成された非接触カード読取アンテナ１１５、非接触カード読取回路部１１６、前面キャビ１１７、後面キャビ１１８、ＬＣＤ回路基板１１９、これら回路を接続するケーブル（図示せず）、座席端末（図示せず）とで構成される。
【００２４】
乗客が非接触ＩＣカードを、タッチパネルを含むＬＣＤに指示される方向、位置の上空に戴置することにより、非接触カード読取回路部１１６で、非接触カードの情報を読取り、認証、課金を実行する。
【００２５】
これにより薄型化した非接触カード読取手段を設置出来、小型化、省スペース化ということが行える。
【００２６】
なお、非接触カード読取アンテナは、導光板以外に反射板や拡散板に印刷されてもよく、また、印刷以外に蒸着で構成されても良い。
【００２７】
（実施の形態４）
図５に本発明の非接触カード読取機能付き座席の構成を示しており、乗客用座席１２０、非接触カード読取機能付き表示器１２１、手元端末１２２、座席端末１２３、これらを接続するハーネス、座席端末の中央処理装置（図示せず）、非接触カード電波遮断材１２４で構成されている。
【００２８】
乗客が非接触ＩＣカード（図示せず）を、タッチパネルを含むＬＣＤ１０５に指示される方向、位置の上空に戴置することにより、非接触センサー１０８で、非接触カードの情報を読取り、認証、課金を実行する、このとき隣接座席の端末に電波が漏れて誤動作、誤認識が起きないように乗客用座席１２０の側面に非接触カード電波遮断材１２４を配置している。
【００２９】
これにより薄型化した非接触カード読取手段での隣接配置での誤動作、誤認識を防止できる非接触カード読取手段を、小型化、省スペース化して配置できるということが行える。
【００３０】
なお、以上の説明では、非接触カード電波遮断材を座席側面に配置したが、座席内、非接触カード読取機能付き表示器の側面に配置してもいいことは言うまでもない。
【産業上の利用可能性】
【００３１】
本発明は、非接触カード読取センサーの大きさに影響されない、航空機、鉄道、船内への非接触カード読取が小型化、省スペース化して行える非接触カード読取手段、および非接触カード読取機能付き座席として有用である。
【図面の簡単な説明】
【００３２】
【図１】本発明の実施の形態１における非接触カード読取手段の構成を示す図
【図２】本発明の実施の形態１における非接触カード読取手段の内部配置の構成を示す図
【図３】本発明の実施の形態２における非接触カード読取手段の構成を示す図
【図４】本発明の実施の形態３における非接触カード読取手段の構成を示す図
【図５】本発明の実施の形態４における非接触カード読取機能付き座席の構成を示す図
【図６】従来の駅の改札の非接触カード読取手段の構成を示す図
【図７】従来の非接触カード読取手段の航空機搭載事例の構成を示す図
【符号の説明】
【００３３】
１  非接触カード
２  読取センサー
３  読取端末
４  乗客障害バー
１０  表示端末
１１  非接触カード読取センサー
１２  乗客座席
１０１  乗客用座席
１０２  非接触カード読取機能付き表示器
１０３  手元端末
１０４  座席端末
１０５  ＬＣＤユニット
１０６  前面キャビ
１０７  後面キャビ
１０８  非接触センサー
１０９  ＬＣＤ回路基板
１１０  非接触カード読取アンテナ
１１１  非接触カード読取回路部
１１２  前面キャビ
１１３  後面キャビ
１１４  ＬＣＤ回路基板
１１５  非接触カード読取アンテナ
１１６  非接触カード読取回路部
１１７  前面キャビ
１１８  後面キャビ
１１９  ＬＣＤ回路基板
１２０  乗客用座席
１２１  非接触カード読取機能付き表示器
１２２  手元端末
１２３  座席端末
１２４  非接触カード電波遮断材
【図１】
2005084704.tif 000003
【図２】
2005084704.tif 000004
【図３】
2005084704.tif 000005
【図４】
2005084704.tif 000006
【図５】
2005084704.tif 000007
【図６】
2005084704.tif 000008
【図７】
2005084704.tif 000009